(57)【特許請求の範囲】
【請求項１】
発明は乾燥機に関するもので、その構成は、上部から説明すると、搬入車から直接、水分を含む、練状の物が投下できる四方傾斜角度付長方形の箱を設け、まず大型物の混入防止のため、強度を要した適宜サイズの網目を配置、その下に煙突パイプを分配し排煙が通る小パイプを複数本、前述の練状の物がスムーズに通る間隔で設置、更にその下に間隔を調整できるモーター付、回転しぼりローラーを並列に２本装着、この回転しぼりローラーの間隔の開閉で、このローラーを通過する練状の物の厚みを加減でき、薄目の大型粘膜が出来、この同ローラーの下部に、大型横長円筒ボイラーの形状をした、モーター付でグレーチング網目を外巻にした大型横長円筒ボイラーを配置、このグレーチング外巻の大型横長円筒ボイラーの上に、前述の薄目の大型粘膜が落下、同横長円筒ボイラーはモータにより、大型横長ボイラー全体の熱及上部から落下する薄目の大型粘膜の水分含有率と乾燥度合により同円筒の回転スピードを調整できる作りとし、回転ローラーから落下してくる薄目の大型粘膜をこのグレーチングを配した同横長円筒ボイラーの上で同調し、半回転し、下部で同粘膜は落下し、搬出用キャタピラーに載せ、同ボイラー外に搬出更に、下の内側横長ボイラーも２重とし、その内側を蒸気発生用円筒ボイラーとし、この蒸気は小型蒸気発電装置のタービン回転に利用、同２重円筒ボイラーの外側は、内側の蒸気ボイラーの高温化を保持するための防温効果と外側の円筒ボイラー内の温水を利用を目的とするもので、同２重ボイラーの中心内側炉内に、多種燃料投下用穴開き長方形ケースを固定したキャタピラー回転式を置き、同キャタピラーの回転を調整し燃焼の種類を加味、炉内の燃焼温度を加減できる作りで種類を問わずバイオマス燃料を焼却、移動可能な独立使用が出来る構造を特徴とする小型蒸気発電機を添えたバイオマス回転乾燥装置。
【請求項２】
請求項２の発明は、乾燥を要する水分含有が少ない粒上の乾燥物を大量に乾燥できる装置は、上部から説明すると、搬入車から直接、乾燥する物が投下できる四方傾斜角度付長方形の箱から同箱に設置された排煙小パイプ間を通り、中心の大型円筒ボイラーが回転しない蒸気発生と温水用２重層大型円筒ボイラーがあり、その外側に前述の傾斜角度付長方形の下方中間に三角垂柱を横置き、乾燥物が左右に分散できる作りで、この三角垂の下から両サイドに左回り、右回り別々のチェーン駆動用スプロケット（チェーン用ギアともいう）付で、スベリ止を施した回転用小形シャフトを上記回転しない２重層大型円筒ボイラーの上部半分まで配置、前述のスベリ止め付回転用小形シャフト半分をチェーンかギアーで連結、モーターでそれぞれ左右に回転駆動、乾燥物が乾燥度合により排出落下を調整、その下にある乾燥物回収ケースに乾燥物が自動的に落下回収、その中心の燃焼炉は、穴開き小ケース付キャタピラー送り機を使用、練り状でない食品、のこくず、モミガラ、しぼりカスの粒状及顆粒物など水分含有率の少ない物を大量に自動乾燥排出する構造を特徴とする、請求項１に記載する小型蒸気発電機を添えたバイオマス回転乾燥装置。
【発明の詳細な説明】
【技術分野】
【０００１】
本願発明は、乾燥機で、その構成は上部から説明すると、搬入車から直接、水分を含む、練状の物が投下できる四方傾斜角度付長方形の箱を設け、まず大型物の混入防止のため、強度を要した適宜サイズの網目を配置、その下に煙突パイプを分配し排煙が通る小パイプを複数本、前述の練状の物がスムーズに通る間隔で設置、更にその下に間隔を調整できるモーター付、回転しぼりローラーを並列に２本装着、この回転しぼりローラーの間隔の開閉で、このローラーを通過する練状の物の厚みを加減でき、薄目の大型粘膜が出来、この同ローラーの下部に、大型横長円筒ボイラーの形状をした、モーター付でグレーチング網目を外巻にした大型横長円筒ボイラーを配置、このグレーチング外巻の大型横長円筒ボイラーの上に、前述の薄目の大型粘膜が落下、同横長円筒ボイラーはモータにより、大型横長ボイラー全体の熱及上部から落下する薄目の大型粘膜の水分含有率と乾燥度合により同円筒の回転スピードを調整できる作りとし、回転ローラーから落下してくる薄目の大型粘膜をこのグレーチングを配した同横長円筒ボイラーの上で同調し、半回転し、下部で同粘膜は落下し、搬出用キャタピラーに載せ、同ボイラー外に搬出更に、下の内側横長ボイラーも２重とし、その内側を蒸気発生用円筒ボイラーとし、この蒸気は小型蒸気発電装置のタービン回転に利用、同２重円筒ボイラーの外側は、内側の蒸気ボイラーの高温化を保持するための防温効果と外側の円筒ボイラー内の温水を利用を目的とするもので、同２重ボイラーの中心内側炉内に、多種燃料投下用穴開き長方形ケースを固定したキャタピラー回転式を置き、同キャタピラーの回転を調整し燃焼の種類を加味、炉内の燃焼温度を加減できる作りで種類を問わずバイオマス燃料を焼却、移動可能な独立使用が出来る構造を特徴とする小型蒸気発電機を添えたバイオマス回転乾燥装置に関するものである。
【背景技術】
【０００２】
地球上において、現在全世界で工業用でも生活用においてでも、バイオマスエネルギーの利用度は、全エネルギー必要量の、平均して１０％も利用されていない。
ここ数年、バイオ燃料は特に石油の値段の上昇で見直され、主にアメリカ、オーストラリア、ブラジルの大型農産地では、食料用をエタノールの原料に回し、バイオ燃料の生産が活発化、その為食糧不足が問題視され価格が上昇、又、２０１１年３月１１日の東北大震災による原子力発電所の大事故で、原子力発電機の新設は困難視されており、食用外の木質系バイオマス専用の蒸気ボイラー型発電機や温水、蒸気を提供できるボイラー装置の開発が求められている。
【０００３】
地球上には、食料用ではない木材、竹材、雑草、食用植物の廃材、建築用の廃材を含めて、人類が生活の為に必要とする熱エネルギーの数倍は、自然に生育しているとの統計もあり、これらを利用してボイラー温水給湯が安定利用でき、その上発電も十分利用できる装置を開発し、地域々で利用できるバイオマスエネルギーの循環利用システムが構築できれば、石油、原子力の利用は不要で、風力、ソーラー発電は補助的に利用する程度でよく、中小水力発電機と合せクリーンエネルギーの確立で地球温暖化を防止の為にも開発が急務で、特にエタノール用、食用植物の廃材としぼりカスは水分が多く含まれており、乾燥装置で化石燃料を使用しないバイオマス専用の乾燥機の開発が望まれる。
【０００４】
従来から、蒸気式ボイラー発電機としては、大電力会社の設置運営する大型の火力発電機が主流であった。最近では、主に生ゴミを集め乾燥しペレット化して燃焼する発電機も開発運営され、同時にボイラーや温水給湯の利用も併用された施設が建設され大型の乾燥機の需要も高まりつつある。
【０００５】
しかし、前述の生ゴミのボイラーや温水給湯と発電機も基本は発電効率をあげるため、更には設備費のコスト低減を計る必要から、
・  １基設置機の大型化で大資本金が必要。
・  大型化ゆえ、設置場所選定の困難さ。
・  広域より生ゴミを集める必要性あり。最近では広域市町村より、消費地から発電所まで遠距離が問題視され、又、地区での生ゴミの分別により生ゴミの量の減少もあり、発電所への生ゴミの持込みの量が大幅に少なくなっている。発電焼却や温水給湯能力の大幅利用低下になっている。
【０００６】
この為、大型生ゴミ発電所の維持が困難となっており、一方、地域の市町村で生ゴミを焼却するのではなく、乾燥して肥料や飼料化などへの転換利用なども生ゴミの焼却持込み量の減少の一因にもなっている。
【０００７】
従来型の生ゴミ焼却発電所は大半が高温熱化と発電設備の小型化のため、この生ゴミを高熱で熱して、急速乾燥し一定のサイズと重量に固定化した、ペレット(ＲＤＦとも言う)と称されるバイオマス燃料に改造してから発電用や温水給湯の焼却炉に投入されているもので一部燃料には、オイル（重油）が併用されており全体的な施設も大型で固定化されている。
【０００８】
最近の乾燥装置は、回転式が主流であるが、砂糖キビ、ヒマワリの油、菜種油、キノコの菌床、トウモロコシなどのしぼりカスは水分が４０％から６５％含まれており、回転ドラム式でドラムの内側に前述のしぼりカスを入れ、ドラムの外側を炉の下側から火炎を当て、ドラムを回転し乾燥する装置が主流である。
【０００９】
バイオマス専用の回転ドラム式乾燥機も一部製作されているが、独立乾燥機は少なく、多方面から電源を購入した市販電力を使用、燃料に粉末、固形、長短不揃い木質材、ペレット、粘土状のすべての燃料を使用でき、乾燥物も練り状態を含むすべて、しぼりカスが継続的に乾燥でき、必要な発電機を添え、使用地域を限定せず独立して利用できる乾燥装置の開発が求められる。
【先行技術文献】
【特許文献】
【００１０】
【特許文献１】特開２０１３−２４５３５０
【特許文献２】特開２０１２−１９３９０２
【特許文献３】特開２００１−３３１５８
【特許文献４】特開２０１２−１１１９１３
【特許文献５】特開平１１−２９４１８７  これらの特許申請には、蒸気発電機を添えたバイオマスの種類を選ばず燃焼でき移動できるコンパクトサイズのバイオマス回転装置は少ない。
【００１１】
本発明は、この様な従来の方式や構成が有していた問題点を解決しようとするものであり小規模で安価な燃焼効率の良い発電併用型バイオマス回転装置の提供する事を目的としたものである。
【発明の概要】
【発明が解決しようとする課題】
【００１２】
解決しようとする問題点は、
（イ）乾燥物のすべてのしぼりカス、粒状、練り状の粘土を含む、物質を継続的に乾燥する方法はないか。
（ロ）小型蒸気発電機を添え移動でき単独で使用できるバイオマス回転乾燥装置はどうすればできるか。
（ハ）燃料にバイオマスのペレット、粉末、固形長尺不揃い木質材、オイル粘土状、サンド状のすべてを焼却できる方法で循環できるシステムはどうするか。
【課題を解決するための手段】
【００１３】
請求項１の発明は、乾燥機に関するもので、その構成は上部から説明すると、搬入車から直接水分を含む練状の物が投下できる四方傾斜角度付長方形の箱を設け、まず、大型物の混入防止のため、強度を要した適宜サイズの網目を配置、その下に煙突パイプを分配し排煙が通る小パイプを複数本、前述の練状の物がスムーズに通る間隔で設置、更にその下に間隔を調整できるモーター付回転しぼりローラーを並列に２本装着、この回転しぼりローラーの間隔の開閉で、このローラーを通過する練状の物の厚みを加減でき、薄目の大型粘膜が出来、この同ローラーの下部に横長ボイラーの形状をしたモーター付でグレーチング網目を外巻にした大型横長円筒ボイラーを配置、このグレーチング外巻の大型横長円筒ボイラーの上に、前述の薄目の大型粘膜が落下、同横長円筒ボイラーはモーターにより、同横長円筒ボイラー全体の熱及、上部から落下する薄目の大型粘膜の水分含有率と乾燥度合により、大型横長円筒ボイラーの回転スピードを調整できる作りとし、回転ローラーから落下してくる薄目の大型粘膜をこのグレーチングを配した大型横長円筒ボイラーの上で同調し半回転し、下部で同粘膜は落下し搬出用キャタピラーに載せ、大型横長円筒ボイラー外に搬出、更に、下内側の横長ボイラーも２重とし、その内側を蒸気発生用円筒ボイラーとし、この蒸気は小型蒸気発電装置のタービン回転に利用、同２重ボイラーの外側は、内側の蒸気ボイラーの高温化を保持するための防温効果と外側の大型横長円筒ボイラー内の温水の利用を目的とするもので、同２重ボイラーの中心内側炉内に、多種燃料投下用穴開き長方形ケースを固定したキャタピラー回転式を置き、同キャタピラーの回転を調整し燃料の種類を加味、炉内の燃焼温度を加減できる作りで、種類を問わずバイオマス燃料を燃焼、移動可能な独立使用が出来る構造を特徴とする、小型蒸気発電機を添えたバイオマス回転乾燥装置を提供する。
【００１４】
請求項２の発明は、乾燥を要する水分含有が少ない粒上の乾燥物を大量に乾燥できる装置は、上部から説明すると、搬入車から直接、乾燥する物が投下できる四方傾斜角度付長方形の箱から同箱に設置された排煙小パイプ間を通り、中心の大型円筒ボイラーが回転しない蒸気発生と温水用２重大型円筒ボイラーがあり、その外側に前述の傾斜角度付長方形の下方中間に三角垂柱を横置き、乾燥物が左右に分散できる作りで、この三角垂の下から両サイドに左回り、右回り別々のチェーン駆動用スプロケット（チェーン用ギアともいう）付で、スベリ止を施した回転用小形シャフトを、上記回転しない２重大型円筒ボイラーの上部半分まで配置、前述のスベリ止め付回転用小形シャフト半分をチェーンかギアーで連結、モーターでそれぞれ左右に回転駆動、乾燥物が乾燥度合により排出落下を調整、その下にある乾燥物回収ケースに乾燥物が自動的に落下回収、その中心の燃焼炉は、穴開き小ケース付キャタピラー送り機を使用、練り状でない食品、のこくず、モミガラ、しぼりカスの粒状及顆粒物など水分含有率の少ない物を大量に自動乾燥排出する構造を特徴とする、請求項１に記載する小型蒸気発電機を添えたバイオマス回転乾燥装置を提供するものである。
【００１５】
発明第一の作用は、大型横長円筒ボイラーの外側にグレーチングを巻き、その上に粘土状を薄目の大型粘膜が巻く作りで、回転する大型横長円筒ボイラーの熱と送風ファンで平均８７度以上となり、大型粘膜が乾燥する作用が働く。
【００１６】
発明第二の作用は、水分の少ない食品、ノコクズ、モミガラ、サトウキビ及菜種のしぼりカスなど、ねばりのない物、粒状の物は大型横長円筒ボイラーが回転せずスベリ止め付回転シャフトで、乾燥物がガイドされ同円筒の両サイドに落下する作用が生じた。
【００１７】
発明作用の第三は、ボイラー部の２重の内側の蒸気発生部から蒸気を取り出し、蒸気発電用タービンを回転し、タービン２２０ミリの直径で１分間に7,000回転以上を回転させ、発電機には遊星ギアー方式減速機を使用、発電出来る作用を確認した。
【００１８】
発明第四の作用は、ボイラーの炉内をキャタピラーで燃料を前面に送れ、穴開長方形ケースを配置したため、あらゆる燃料を使用でき、又、キャタピラーを取りはずし、長尺物の木質系も燃焼できる作用がある。
【発明の効果】
【００１９】
前述した本発明の小型蒸気発電機を添えたバイオマス回転乾燥装置は次の効果を発揮する。
【００２０】
・  大型横長円筒ボイラーでグレーチング付回転乾燥装置は、乾燥物が変色する事なく、水分を含むバイオマス燃料用の水分除去や海藻、野菜等を微細カット後の水分除去、乾燥食品を作る乾燥機として幅広く利用の効果がある。
・  発明の１と２の通り、内部を少し変更する仕様で粘質性ある物やバラ状の粘質性ない物を大量に乾燥できる効果がある。
【００２１】
・  キャタピラーと穴開小型ボックスで、燃料を平均して搬入でき、あらゆる長尺不揃を含むバイオマスが燃料として利用でき炉内の温度も均一の燃焼効果が得られた。
・  蒸気発電と温水の利用も出来、バイオマス燃料の存在する地区で、電源のない地域でも乾燥機を提供でき、１台で３役の効果がある。
【図面の簡単な説明】
【００２２】
【図１】平面図（本発明の実施例を示す平面図）
【図２】正面斜視図（以下、本発明の実施例を示す文言を省略する）
【図３】右側面及、Ａ−Ａ線部分断面図
【図４】左側面及、Ｂ−Ｂ線部分断面図
【図５】背面斜視図
【図６】小型蒸気発電装置部分断面図
【図７】回転乾燥内部仕様図
【図８】回転しぼりローラー仕様図
【図９】粒状用乾燥斜視図
【図１０】粒状用乾燥部分断面図
【発明を実施するための形態】
【００２３】
従来の乾燥機は、縦型円筒や横ドラム式も重油であれ、バイオマスの燃料であれ、下方から燃焼する方法が主でドラムの中の乾燥物が焦げ付いたり、変色する事が多いが、本発明品は乾燥機でありながら、同時に発電する装置や温水も出来るため、１基で物の乾燥と温水利用、発電利用と独立装置としてコンパクトなデザインにまとめた形態とした。
【００２４】
以下、本発明の実施の形態を試作機で部分テストし、結果を参考にして図１〜図８の２に基づいて説明する。
【実施例】
【００２５】
図１は、本発明の実施例を示す、小型蒸気発電機を添えた、バイオマス回転乾燥装置の平面図である。本発明の全体の概要は、平面図で判断すれば１は基礎ベース、２は両サイトに水タンク（一部温水タンクと併用）、３が四方傾斜付長方形箱（ケースともいう）で、この中にトラック等、搬入車から乾燥物を上から投入、４の金網で大型荒物混入物を選別、５は排煙小パイプで、数字は前後するが、１６の煙突元部から導引し、排煙の熱で乾燥物の水分を除去するものである。
【００２６】
図１の続きで、数６はモーター付回転ローラーで、３の傾斜付箱のためこの６の回転ローラーに乾燥物は集まり、２本の回転ローラーの幅や厚みにより大型の薄目の粘膜として下方へ継続落下され、７は回転ローラーのモーター、８は排煙突で、９はバイオマス自動送り器、１０は送りモーター、左方向の１１はボイラー全体を囲む円筒外ケース、１２は２重ボイラー外側部、１４は蒸気溜りパイプで、詳細は後述するが、１５は圧力計を配置、１６は煙突元部、１７は復水タンクで、１８は高圧ポンプを表わす。
【００２７】
図２は、正面斜視図で、本願発明を表わす小型蒸気発電機を添えた、バイオマス回転乾燥装置の全体図で、数字は前後するが、１９はコントローラーＢＯＸで、小ランプを添えたもので、２０は穴開き小ケース付キャタピラー送り器、２１は蒸気発電タービン、２２は薄目大型粘膜（乾燥物）で２７のグレーチング網付大型横長円筒の上に同調して右回りで、微動回転し、落下する設計で、２３の減速付回転モーターで、回転スピードを調整でき、２１蒸気タービンの使用済み蒸気を下の１７の復水タンクへ蒸気送りパイプ１４で水に戻し、１８の高圧ポンプで、１３の蒸気発生円筒ボイラーへ再圧送し、循環させるもので、２５は送風ファンで排煙をスムーズにでき、２６は排水高口（又はドレンコック）で汚水を排出する。その他の数字、２，３，５，７，８，９，１０，１１，１２，１５，１６，１７、１８は図１の通りである
【００２８】
図３は、右側面及Ａ−Ａ線部分断面図で、９のバイオマス自動送り器で、３種類のバイオマス燃料を１０の送りモーターで量を調整し、２０の穴開き小ケース付キャタピラー送り機で炉内全体に燃焼を送り、燃焼させる作りで円筒の図の２７は、グレーチング網付大型横長円筒で上部に２２の薄目の大型粘膜で同円筒と上部に同調して回転し、２８の火炎で熱せられ、徐々に乾燥されながら、左回りで中心の２９の搬送用キャタピラーに落下し、同キャタピラー２９が回転し乾燥品が外へ搬出される。その他の数２，３、６，８，１１，１７，１９，２２，２５，２６は図１、図２の通りである。
【００２９】
図４は、左側面図及Ｂ−Ｂ線部分断面図で、２０の穴開き小型ケース付キャタピラーは、３１の送風パイプより空気を、下と両サイドから受け炉内の火炎スピードを調整し、３２は水位計で、３３の再加熱パイプも加熱、この３３の同パイプは右上に配置し、２１の蒸気タービンに利用、連結して、３４は発電機で、１３がボイラー部蒸気発生円筒ボイラー、３６はそのボイラーの水位を表わし、１４の蒸気溜まりで１３０度の蒸気を利用、１２は、お湯発生円筒ボイラーで８４度内外ある。その他の数２，３，５，６，１６，１７，２０，２４，２５は図１、図２、図３の通りである。
【００３０】
図５は、背面斜視図で、３８は、グレーチング外巻き部で、３０の円筒支持ローラー支えられた２７の全体のグレーチング網付大型円筒の外側に３８のグレーチング網を巻き、２２の薄目大型粘膜が落下して同２７のグレーチング網付大型横長円筒の間にスキ間を設け、ボイラー下からの熱と４１の送風ファン（Ｂ）の通り道と同粘膜のスベリ止めの役目をし、２２の薄目大型粘膜の乾燥をスムーズ化した装置とし、数字は前後するが、３９は炉内点検オープンドアで、４０は２０の穴開き小ケース付キャタピラー送り機の燃料が燃焼し灰の落下灰受箱４０とし、後方に引出す方法とした。
【００３１】
図６は、小型蒸気発電装置部分断面図で、前述の通り２１の蒸気タービンで外部の３３の再加熱パイプから４２の蒸気ノズルを経由して蒸気を放出して、２１のタービンを回転、直径２２０ミリで１分間に7,000から乾燥蒸気で9,000回転に達し、蒸気ノズルの温度は２５０度前後に達し、４４のタービンシャフトを通じ、４５の遊星減速機で１０分の１に減速、その為回転力は１０倍に増強、４６の多極型磁力発電は定格回転数が３５０回転（１分間に）であり、電気を使用しても７００回転の回転力があれば発電量の以内で連続発電し、４７の三相線を通じ、４８の接続コンセントを通じ、電力をモーターや照明に使用でき、試作機でも十分発電し、乾燥装置にも使用可能である。
【００３２】
図７は、回転乾燥内部仕様図で、５０の架台の上に４９の運搬車から乾燥物を３の四方傾斜付長方形箱に投入、６の回転しぼりローラーにより２２の薄目大型粘膜（乾燥物）が押し出され、２７のグレーチング網付大形横長円筒にほぼ半周、熱と送風により、微動回転しながら、２９のキャタピラー搬出機に落下、正面外に搬出される作りで、２０は穴開き小ケース付キャタピラー送り機でバイオマスを燃焼させる。
【００３３】
図８は、回転しぼりローラー仕様図で、６が回転しぼりローラーで、５１の強力バネが両サイドあり、このバネを５２のローラー間調整ネジ付回し器で調整すれば、５３の乾燥物進行矢印から入る乾燥物の厚さを調整し、乾燥物の水分除去が容易となる。。
【００３４】
図９は、粒状用乾燥斜視図で、３の四方傾斜付長方形ケースの下部中心に５４の三角垂柱を横置き、１２のお湯発生円筒ボイラー外側部に５５のスベリ止付回転小形シャフトを１２の大型お湯発生円筒ボイラー円筒ボイラー円筒外側の上部半分を配置、同５５の小型シャフトにはそれぞれ５６のベアリングを施し、５７のチェーン駆動用スプロケットを装着、チェーン回転式とし、５５の小形シャフト半分が左右に５８のモーターで回転する作りで、乾燥物が左右にわかれ誘導され落下する設計で、５９は蝶番（丁ツガイ）で、６０は開閉式ドアーで、６１は移動オモリで６０の開閉ドアーの重量をコントロールし、乾燥物の落下スピード及乾燥物の厚さを調整し乾燥の度合いを決める作りで、６２は乾燥物が乾燥を完了して回収する乾燥物回収ケースである。
【産業上の利用可能性】
【００３５】
図１０は、粒状用乾燥部分断面図で、１３が蒸気発生円筒ボイラーで中央部の２０の穴開き小ケース付キャタピラー送り機のバイオマス燃料により燃焼し、蒸気が発生、その外側に１２のお湯発生円筒ボイラーが２重にあり、１７の復水タンクの上に置かれ、この１３の蒸気発生円筒ボイラーと１２のお湯発生円筒ボイラーは回転せず、この上部にある、５４の三角垂柱を境にして左右にある５７のチェーン駆動用スプロケットに連結してある５５のスベリ止め付回転小型シャフトが、左右の５８のモーターでそれぞれ左回り、右回りと、乾燥物の乾燥度合により、スピードを調整して回転させるもので、５９は蝶番で６０の開閉式ドアーの上下開閉止め金に利用、６１は移動オモリで６０の開閉ドアーの重さを加減し、粒状乾燥物の落下スピードを５５のスベリ止め付回転小型シャフトと合わせて調整し、６３の乾燥物回収ケースを左右に設け落下させ回収するもので、６４は、乾燥物移動ラインを示す矢印で、乾燥物が左右に落下、６３の乾燥物回収ケースに収納できる。その他の数５は図１の通りである。
【００３６】
（イ）エネルギーの問題としては石油高、産油国地域の政情不安による価格変動、原子力の事故と原子力の最終処理費で未知数の資金と処理他の未確定など、更にシェールガスや日本近海２,４００ｍ〜６,０００ｍ海底からの冷凍ガスの採取利用についても未知数の資金としてかなりの年月が必要である。
（ロ）  又、最近は自然エネルギーの利用で自給率の改善で一番の条件が見込まれるのは水力発電とバイオマス発電と言われている。
（ハ）  乾燥機においても、電気、ガス、重油が主流で最近バイオマス乾燥機もあるが、電力は市販電力を使用中で独立使用は不可。
（ニ）  その中で本願発明装置は燃料及電力を含めて独立使用できる小型蒸気発電機を添えたバイオマス回転乾燥装置である。
（ホ）  全国で中小の鉄工所でも製作が出来、この装置の利用先も、食品の乾燥、トウモロコシ、菜種、サトウキビ、その他のしぼりカス、エノキダケの菌床の乾燥等電力を含み燃料をバイオマスですべて賄う乾燥装置である。以上で自然エネルギーのみでの循環が出来る装置として地域を限定せず、平地、離島、高所、山間地において利用可能で産業利用拡大が期待される。
【符号の説明】
【００３７】
１．基礎ベース
２．水タンク（一部温水タンクと併用）
３．四方傾斜付長方形箱（ケースともいう）
４．選別金網
５．排煙小パイプ
６．回転しぼりローラー
７．モーター
８．煙突
９．バイオマス自動送り器
１０．送りモーター
１１．ボイラーを囲む円筒外ケース
１２．お湯発生円筒ボイラー
１３．蒸気発生円筒ボイラー
１４．蒸気溜り
１５．圧力計
１６．煙突元部
１７．復水タンク
１８．高圧ポンプ
１９．コントローラーボックス
２０.  穴開き小ケース付キャタピラー送り機
２１．蒸気（発電）タービン
２２．薄日大型粘膜（乾燥物）
２３．減速付回転モーター
２４．復水蒸気送りパイプ
２５．送風ファン
２６．排水口（ドレンコックともいう）
２７．グレーチング網付大形横長円筒
２８．火炎
２９．キャタピラー搬出機
３０．円筒支持ローラー
３１．送風パイプ
３２．水位計
３３．再加熱パイプ
３４．発電機部
３５．蒸気送りパイプ
３６．水位
３７．架台Ｈ鋼
３８．グレーチング外巻き部
３９．炉内点検オープンドア
４０．灰受箱
４１．送風ファン（Ｂ）
４２．蒸気ノズル
４３．蒸気排出口
４４．タービンシャフト
４５．遊星減速機
４６．多極型磁力発電機
４７．三相線
４８．接続コンセント
４９．運搬車
５０．架台
５１．バネ
５２．ローラー間調整ネジ付回し器
５３．乾燥物進行矢印
５４．三角垂柱
５５．スベリ止め付回転小形シャフト
５６．ベアリング
５７．チェーン駆動用スプロケット
５８．モーター
５９．蝶番
６０．開閉式ドアー
６１．移動オモリ
６２．取っ手
６３．乾燥物回収ケース
６４．乾燥物移動ラインを示す矢印
【要約】      （修正有）【課題】バイオマス燃料のみで、電力の自給、温水の提供と独立使用可能な乾燥装置を提供する。【解決手段】回転しぼりローラー６の間隔の開閉で厚みを加減した薄目大型粘膜２２を、該ローラー６下部にあるグレーチング網目を外巻にしたグレーチング網付大形横長円筒２７に落下させ、調整された回転スピードで回転する該円筒２７の上で同調半回転させ、さらに下部に備えられるキャタピラー搬出機２９に載せて外に搬出する。大型横長大形円筒ボイラーは２重層にし、内側を蒸気発生円筒ボイラー１３として蒸気を蒸気タービン２１の回転に利用し、２層目をお温発生円筒ボイラー１２として内側の防温効果と温水利用を図り、中心炉にはバイオマス燃焼用の穴開き小ケース付キャタピラー送り機２０を置き、同キャタピラーの回転を調整して、種類を問わずバイオマス燃料を燃焼、移動可能な独立使用が出来る構造を特徴とする。【選択図】図４【図１】
0005588077.tif 000002
【図２】
0005588077.tif 000003
【図３】
0005588077.tif 000004
【図４】
0005588077.tif 000005
【図５】
0005588077.tif 000006
【図６】
0005588077.tif 000007
【図７】
0005588077.tif 000008
【図８】
0005588077.tif 000009
【図９】
0005588077.tif 000010
【図１０】
0005588077.tif 000011